(57)【要約】【課題】移動端末をターゲットとしたディジタル放送システムにおいて、移動端末の位置に関連した情報を放送データとともにタイムリーに提供すること。【解決手段】データ放送又は映像又は音声又はこれらの組み合わせたものからなる放送データを送出する放送システム１００４，１００５と、放送データを受信し表示する移動端末１００１と、移動端末の位置を測位する測位システム１００２と、移動端末へ情報を提供する情報提供システム１００３と、移動端末と情報提供システムの間で双方向のデータ通信をする双方向通信システム１００６，１００７，１００８と、を備えた複合放送システムであって、移動端末は、測位システムから得た移動端末の測位情報を情報提供システムに送信し、情報提供システムは、測位情報に関連した関連情報を移動端末に送信し、移動端末には放送データとともに関連情報を表示する構成とする。【選択図】図２
2005142826.tif 000002
【特許請求の範囲】
【請求項１】
データ放送又は映像又は音声又はこれらの組み合わせたものからなる放送データを送出する放送システムと、
前記放送データを受信し表示する移動端末と、
前記移動端末の位置を測位する測位システムと、
前記移動端末へ情報を提供する情報提供システムと、
前記移動端末と前記情報提供システムの間で双方向のデータ通信をする双方向通信システムと、を備えた複合放送システムであって、
前記移動端末は、前記測位システムから得た移動端末の測位情報を前記情報提供システムに送信し、
前記情報提供システムは、前記測位情報に関連した関連情報を前記移動端末に送信し、
前記移動端末には前記放送データとともに前記関連情報を表示する
ことを特徴とする複合放送システム。
【請求項２】
請求項１において、前記放送システムはディジタル地上波放送システムであることを特徴とする複合放送システム。
【請求項３】
請求項１において、前記放送システムは衛星を利用したディジタル放送システムであることを特徴とする複合放送システム。
【請求項４】
請求項１、２又は３において、前記測位システムは、ＧＰＳ又はＤＧＰＳを利用して測位することを特徴とする複合放送システム。
【請求項５】
請求項１、２又は３において、前記測位システムは、前記移動端末と当該移動端末と通信をする基地局との位置関係により測位することを特徴とする特徴とする複合放送システム。
【請求項６】
請求項１乃至５のいずれか１つの請求項において、前記双方向通信システムは、携帯電話又はＰＨＳ（Personal Handy-phone System）のデータ通信サービスを利用することを特徴とする複合放送システム。
【請求項７】
請求項１乃至６のいずれか１つの請求項において、
前記移動端末における処理手順は、データ放送を受信するステップと、測位情報を得るステップと、測位情報を情報提供システムに送信するステップと、情報提供システムより情報を受信するステップと、前記移動端末のディスプレイに表示するステップと、からなる
ことを特徴とする複合放送システム。
【請求項８】
請求項１乃至７のいずれか１つの請求項において、データ放送はＢＭＬ（Broadcasting Markup Language）を利用することを特徴とする複合放送システム。
【請求項９】
請求項１乃至８のいずれか１つの請求項において、前記双方向のデータ通信はＨＴＴＰ（Hyper Text Transport Portocol）を利用することを特徴とする複合放送システム。
【請求項１０】
請求項１乃至９のいずれか１つの請求項において、前記情報提供システムから提供される情報は地図情報であることを特徴とする複合放送システム。
【請求項１１】
請求項１乃至９のいずれか１つの請求項において、前記情報提供システムから提供される情報は気象情報であることを特徴とする複合放送システム。
【請求項１２】
データ放送又は映像又は音声又はこれらの組み合わせたものからなる放送データを送出する放送システムと、
前記放送データを受信し表示する移動端末と、
前記移動端末の位置を測位する測位システムと、
前記移動端末へ情報を提供するデータ蓄積システムと、を備えた複合放送システムであって、
前記移動端末は、前記測位システムから得た移動端末の測位情報を用いて前記データ蓄積システムよりデータ検索して必要なデータを取り出し、
前記移動端末には前記放送データとともに前記必要データを表示する
ことを特徴とする複合放送システム。
【請求項１３】
請求項１２において、前記放送システムはディジタル地上波放送システムであることを特徴とする複合放送システム。
【請求項１４】
請求項１２において、前記放送システムは衛星を利用したディジタル放送システムであることを特徴とする複合放送システム。
【請求項１５】
請求項１２、１３又は１４において、前記測位システムはＧＰＳ又はＤＧＰＳを利用して測位することを特徴とする複合放送システム。
【請求項１６】
請求項１２、１３又は１４において、前記測位システムは、前記移動端末と当該移動端末と通信をする基地局との位置関係により測位することを特徴とする特徴とする複合放送システム。
【請求項１７】
請求項１２乃至１６のいずれか１つの請求項において、前記データ蓄積システムに蓄積されるデータは、ＣＤ、ＤＶＤ、ＭＤ又はこれに類するメディアにより提供されることを特徴とする複合放送システム。
【請求項１８】
請求項１２乃至１６のいずれか１つの請求項において、前記データ蓄積システムに蓄積されるデータは、前記放送システムより放送されるデータを蓄積することを特徴とする複合放送システム。
【請求項１９】
請求項１２乃至１８のいずれか１つの請求項において、
前記移動端末における処理手順は、データ放送を受信するステップと、測位情報を得るステップと、測位情報を情報を用いて前記データ蓄積装置よりデータの検索をするステップと、前記データ蓄積装置よりデータを取り出すステップと、前記移動端末のディスプレイに表示するステップと、からなる
ことを特徴とする複合放送システム。
【請求項２０】
請求項１２乃至１９のいずれか１つの請求項において、前記データ放送は、ＢＭＬ（Broadcasting Markup Language）を利用することを特徴とする複合放送システム。
【請求項２１】
請求項１２乃至２０のいずれか１つの請求項において、前記データ蓄積システムに蓄積されている情報は地図情報であることを特徴とする複合放送システム。
【請求項２２】
請求項１２乃至２０のいずれか１つの請求項において、前記データ蓄積システムから提供される情報は気象情報であることを特徴とする複合放送システム。
【発明の詳細な説明】
【技術分野】
【０００１】
本発明は、複合放送システムの技術に関する。より詳しくは、放送局より放送される放送データを受信機により受信し、受信機の現在位置を特定するデータを通信サーバに送信し、通信サーバは送られたデータを元に受信機に通信データを送信し、受信機は放送データと通信データを連動してディスプレイに表示させる複合放送システムに関する。
【背景技術】
【０００２】
放送のディジタル化によって、映像、音声による視聴者への情報提供だけでなく、データ放送による情報の提供がなされるようになった。例えば、ＢＳディジタル放送は２０００年３月よりサービスが開始され、データ放送によって天気、ゲーム、番組連動情報などをデータ放送によって視聴者に情報の提供を行っている。また、２００３年１２月から地上ディジタル放送が開始され、ここでもデータ放送により視聴者に情報提供がなされる。地上ディジタル放送では、従来のように固定された受信端末を想定した放送だけでなく、携帯電話やカーナビなどの移動端末を想定した放送も予定されている。
【０００３】
これら放送のディジタル化により開始されたデータ放送は、ＸＭＬ（eXtended Markup Language:Extensible Markup Language(XML) 1.0,W3C Recommendation, 1998-2)とＥＣＭＡ  Ｓｃｒｉｐｔ(Standardizing Information and Communication Systems Standard ECMAScript Langunage Specification 2nd Edition,1998-8）をベースにしたＢＭＬ（Broadcasting Markup Language）を使用している。ＢＭＬはＡＲＩＢ（電波産業会）で標準化されている（ディジタル放送におけるデータ放送符号化方式と伝送方式（ＡＲＩＢ  ＳＴＢ−Ｂ２４）３．５版、平成１４年１１月）。
【０００４】
また、ＢＳディジタル放送における運用規格として、ＡＲＩＢより「ＢＳディジタル放送運用規格（ＡＲＩＢ  ＴＲ−Ｂ１５）１．１版」が規格化されている。地上ディジタル放送における運用規格として、ＡＲＩＢより「地上デジタルテレビジョン放送運用規格（ＡＲＩＢ  ＴＲ−Ｂ１４）１．４版」が規格さされている。
【０００５】
ＡＲＩＢで規格されたＢＭＬには双方向通信サービス機能が盛り込まれている。これは、データ放送によりＢＭＬのドキュメントを受信し、端末に表示した後ユーザの操作により、或いはＥＣＭＡＳｃｒｉｐｔを使って自動的に、インターネットなどの双方向通信プロトコルを使用して、情報提供システムにアクセスし、情報の提供を受けることができる。これは、放送による情報提供を受けるだけでなく、通信による情報の提供を受けることができることを意味する。
【０００６】
図１３に放送システムと双方向通信サービスが融合したシステムのブロック図を示す。このシステムは、映像、音声、データ放送等を送信する放送システム２００１、放送システムの電波を受信し表示、再生する端末２００２、端末に対し情報を提供する情報提供システム２００３、端末と情報提供システムの間でデータ通信をする双方向通信システム２００４、から構成される。
【０００７】
図１４は図１３で示したブロック図をより具体化した、ディジタル地上波の放送システムと双方向通信サービスが融合したシステムの例を示す。１００４は放送局を示し、放送局から放送用の電波が電波送信塔である１００５へ送られ、１００５より各端末に電波放送される。１０１１はディジタル地上波が受信できるテレビを示す。１０１１は放送電波を受信し、その映像、データ放送、音声を提示することができる。また、１０１１は電話線に接続されインターネット接続設備１００７に接続されている。インターネット接続設備はインターネット網１００８に接続される。そして、双方向通信のサービスを利用者に提供する情報提供システム１００３に接続される。テレビ１０１１は１００７を経由してインターネットにアクセスされ、インターネットを経由して１００３にアクセスすることができる。そして、テレビ１０１１は情報提供システム１００３から情報の提供を受けることができる。
【０００８】
図１５にＢＭＬドキュメントの例を示す。また、図１５のＢＭＬドキュメントを表示した画面例を図１６に示す。データ放送としてこのようなドキュメントが放送局から放送され、端末上で提示される。このドキュメントでは画面に「ＣＬＩＣＫ  ＨＥＡＲＥ」と書かれたボタンが表示され、このボタンを選択すると、図１５内の３００２で示された枠内の文が実行され、インターネットによる通信が行われる。この文は、情報提供サーバｗｗｗ．ｊｕｎｋ．ｃｏ．ｊｐのｌｉｎｅＣｏｎｎｅｃｔ．ｂｍｌというＢＭＬドキュメントをＨＴＴＰ（Hyper Text Transfer Protocol,Hypertext Transfer Protocol-HTTP/1.1,RFC2616,IETF）により取得し、端末の画面上に表示することを実行する。情報提供サーバへのアクセスをするためのアドレスの指定として、一般にはＵＲＩ（Uniform Resource Identifiers,Uinoform Resource Identifiers (URI): Generic Syntax, RFC2396,IETF）が使われる。
【０００９】
一方、携帯電話では通信システムがディジタル化され、通話サービスだけでなく、ｉ−ｍｏｄｅ（登録商標）（（株）ＮＴＴドコモのサービス）をはじめとするデータ通信サービスも始まっており、携帯電話からインターネットへアクセスして、ＷＷＷのブラウジングやＥ−ＭＡＩＬなどのサービスが提供されている。
【００１０】
移動端末では、端末の現在位置を特定するためのシステムが実用化され、端末の位置に連動したサービスも始まっている。例えば、カーナビゲーションシステムでは、衛星を使ってＧＰＳ（Global Positioning System）によって端末の位置を正確に測位し、それをナビゲーションシステムが保持している地図データと連動させながら、ディスプレイに表示するシステムが実用化されている。また、ＧＰＳでは或る理由により正確な位置を測位することができない場合があるので、より正確に測位するためにＤＧＰＳ（Differential GPS）を用いた方法もある。
【００１１】
また、ＰＨＳ（Personal Handy-phone System）や携帯電話では、基地局と移動局（端末）の電波強度、移動局が捕捉する基地局の位置、基地局がサポートするセルの範囲、複数の基地局と移動局との電波の伝播の時間差などの情報を使って、移動局の位置を測位するシステムが実用化又は提案されている。
【００１２】
図１７に自局の位置を測位することができ、双方向通信機能を持つ移動端末と、その通信機能を使って情報提供システムと通信をするシステムのブロック図を示す。このシステムでは、測位システム２００５、移動端末２００２、移動端末に対し情報を提供する情報提供システム２００３、移動端末と情報提供システムの間でデータ通信をする双方向通信システム２００４、から構成される。
【００１３】
図１８は図１７で示したブロック図をより具体化した、移動局を測位することができるシステムと双方向通信サービスを融合したシステムの例を示す。１００２はＧＰＳの衛星を示す。便宜上図中ではＧＰＳの衛星は１つしか描かれていないが通常は複数存在する。１００１は移動端末を示す。１００１は複数の衛星からＧＰＳデータを受信し、自局の位置を測位することができる。１００６は移動端末と通信をする基地局を示す。便宜上図中では基地局は１つしか描かれていないが通常は複数存在する。
【００１４】
基地局と移動局の間は無線通信によりデータ通信を行うことができる。基地局は通信事業者のインターネット接続設備１００７に接続されている。インターネット接続設備はインターネット網１００８に接続される。そして、双方向通信のサービスを利用者に提供する情報提供システム１００３に接続される。移動端末１００１は１００７を経由してインターネットにアクセスされ、インターネットを経由して情報提供システム１００３にアクセスすることができる。そして、１００１は１００３から情報の提供を受けることができる。
【００１５】
移動端末の位置からその位置に即した情報の提供を受けるシステムの従来技術が、次に列記する特許文献に提案されている（例えば、特許文献１，２，３，４，５，６，７，８，９を参照のこと）。
【００１６】
特許文献１の技術は、移動局に各地域の情報を蓄積しておき、移動局は基地局のＩＤを受信し、そのＩＤに基づいた地域情報を蓄積されている情報から地域情報を抽出して表示するものである。また、特許文献２の技術は、移動局は基地局のＩＤを受信して、このＩＤをキーにして地域情報が格納されているサーバにアクセスし、この地域情報をサーバより取り出すものである。さらに、特許文献３の技術は、移動局から自位置を含む個人情報と利用者の要求情報を基地局を経由して外部のサーバに送信し、サーバは位置情報を含む個人情報と利用者の要求情報から、気象情報や広告情報などを移動端末に送信し、移動端末はサーバから送られてきた情報を表示するものである。
【００１７】
特許文献５の技術は、大まかな地図情報を端末側で持ち、端末の位置情報を取得して、詳細な地図を端末の位置情報を使ってサーバからダウンロードして、詳細な地図が必要になった場合にはダウンロードした地図を用いるものである。また、地図データとともにその地域の情報も受信するものである。また、特許文献６の技術は、ＧＰＳ付の携帯電話で、ＧＰＳを使って携帯電話の位置を求め、その位置情報を使ってインターネットからその位置に関する情報を取得するものである。さらに、特許文献７の技術は、放送により送信された広告情報を移動端末で受信し、移動端末ではその端末の位置情報、その他の情報で広告情報をフィルタリングして、端末のディスプレイにその広告情報を表示するものである。
【００１８】
特許文献８の技術は、映像や音声などの放送データにそのデータに関連した位置情報を同時に送信し、受信端末では、放送データを表示するとともに、位置情報をも表示するものである。また、特許文献４の技術は、放送に各地域の情報を多重化して送信し、受信側では位置取得装置により取得された位置情報から、放送されてきた各地域の情報をフィルタリングし受信機に表示するものである。さらに、特許文献９の技術は、管理サーバに商品情報と店舗情報を蓄積しておき、ラジオ放送局に商品情報を送信する。ラジオ放送局は音声とともに商品情報をデータ多重放送により放送する。移動局はＧＰＳによって測位し、ユーザはデータ多重放送の商品情報から欲しい商品を選択すると、移動局は欲しい商品の注文情報と移動局の位置を管理サーバに送信する。管理サーバは移動局の位置及び注文情報から、移動局のユーザが受け取る商品の店舗情報を移動局に送信するものである。
【特許文献１】特開平９−９８４７３号公報
【特許文献２】特開平９−１７６７２号公報
【特許文献３】特開平１１−６５４３４号公報
【特許文献４】特開２０００−１１５７２４
【特許文献５】特開２００１−１９４１７２
【特許文献６】特開２００１−２６４１０１
【特許文献７】特開２００２−２２９４９２
【特許文献８】特開２００２−２４７５３０
【特許文献９】特開２００３−１６２６４９
【発明の開示】
【発明が解決しようとする課題】
【００１９】
従来のＢＳディジタル放送システムを利用したデータ放送では、端末（ＴＶ）が移動しないことを前提にして、端末の中に設置されている場所（家）の電話番号、住所、郵便番号などその端末が設置されている場所を特定できる情報を記憶しておき、その設置されている位置に関する情報を情報提供サーバに送信することで、その端末が設置されている地域に関連した情報を提供することができた。
【００２０】
しかし、移動端末では、端末は自由にどこでも時々刻々と移動するので、上述したように、端末にその端末が設置されている位置に関する情報をセットすることは無意味であり、位置に関連する情報を端末に提供することは不可能である。例えば、コンビニエンスショップや、キオスクのコマーシャルが放送で流れたときに、その端末が位置する現在位置近くのコンビニエンスショップやキオスクの地図が表示されれば便利であるが、現在の放送システムを使った情報提供方法ではそのような情報を移動端末に対して情報の提供を行うことは不可能である。
【００２１】
特許文献１では、あらかじめ移動局に各地域のデータを蓄積させる必要があり、その量は膨大なものとなり、また、データをメンテナンスするのは移動局の持ち主であるので、相当の手間を要する。
【００２２】
また、特許文献２，３，５，６のように、移動局の位置を測定して、それをサーバに送信したりすることにより、移動局の位置付近の情報をサーバよりダウンロードする方法はいくつか提案されているが放送と連動しているわけではない。従って、サーバからデータを取ってくるためにアクションが必要であり、また、必要な情報をフィルタリングするための手段も必要になってくる。
【００２３】
特許文献７，８では、データ放送等が多重化された放送電波を移動局が受信して、移動局は自局位置データからデータ放送のデータをフィルタリングしてデータ放送を表示する方法が提案されているが、放送からのデータのみを利用し、そのデータをフィルタリングするために移動局の位置情報を使うものである。また、電波の届く範囲が広範になればなるほど、データ放送のデータ量が膨大になり現実的ではなくなってしまう。また、文字だけのデータならいざ知らず、地域の映像や音声データをデータ放送に組み込んで放送するとなれば、データ量が膨大になりサービスとして破綻してしまう。
【００２４】
特許文献９では、商品情報が蓄積された管理サーバ、放送システム、通信システム、移動局の測位情報を使って、移動中でも、移動局からショッピングをするシステムであるが、すべての処理が管理サーバに集中してしまうことの課題がある。また、放送局からのデータの放送にはデータ多重放送を利用しており、アナログのラジオ放送の電波の隙間にデータを送信するものであり、これからのディジタル放送に対応するものではない。
【００２５】
本発明の目的は、移動端末をターゲットとしたディジタル放送システムにおいて、移動端末の位置に関連した情報を放送データとともにタイムリーに提供することのできる放送システムを提供することにある。
【課題を解決するための手段】
【００２６】
前記課題を解決するために、本発明は主として次のような構成を採用する。  
データ放送又は映像又は音声又はこれらの組み合わせたものからなる放送データを送出する放送システムと、
前記放送データを受信し表示する移動端末と、
前記移動端末の位置を測位する測位システムと、
前記移動端末へ情報を提供する情報提供システムと、
前記移動端末と前記情報提供システムの間で双方向のデータ通信をする双方向通信システムと、を備えた複合放送システムであって、
前記移動端末は、前記測位システムから得た移動端末の測位情報を前記情報提供システムに送信し、
前記情報提供システムは、前記測位情報に関連した関連情報を前記移動端末に送信し、
前記移動端末には前記放送データとともに前記関連情報を表示する構成とする。
【００２７】
また、データ放送又は映像又は音声又はこれらの組み合わせたものからなる放送データを送出する放送システムと、
前記放送データを受信し表示する移動端末と、
前記移動端末の位置を測位する測位システムと、
前記移動端末へ情報を提供するデータ蓄積システムと、を備えた複合放送システムであって、
前記移動端末は、前記測位システムから得た移動端末の測位情報を用いて前記データ蓄積システムよりデータ検索して必要なデータを取り出し、
前記移動端末には前記放送データとともに前記必要データを表示する構成とする。
【発明の効果】
【００２８】
本発明によれば、放送局からの放送データを移動端末で受信し、測位システムで移動端末の位置を測位し、さらに情報提供システムより移動端末の位置に関連したデータを取得し、移動端末で表示することができ、放送システム、測位システム及び情報提供システムが連動した複合放送サービスを移動端末に対して提供することができる。
【００２９】
また、放送局からの放送データを移動端末で受信し、測位システムで移動端末の位置を測位し、さらにデータ蓄積システムより移動端末の位置に関連したデータを取得して、移動端末で表示することができ、放送システム、測位システム及びデータ蓄積システムが連動した複合放送サービスを移動端末に対して提供することができる。
【発明を実施するための最良の形態】
【００３０】
本発明の第１の実施形態に係る複合放送システムについて、図１を参照しながら説明する。図１は本発明の第１の実施形態に係る複合放送システムを示すブロック図である。
【００３１】
図１において、２００１は放送システムを示し、放送システム２００１から各移動端末２００２に向けて、データ放送、又は映像、又は音声、又はそれらを組み合わせたものを放送データとして送出する。２００２は移動端末であり、放送システム２００１が放送した電波を受信し、表示・再生することができる。また、２００５は測位システムであり、移動端末２００２の位置を測位することができる。２００３は移動端末に情報を提供する情報提供システムである。２００４は情報提供システムと移動端末の間で双方向にデータの通信をすることができる双方向通信システムである。
【００３２】
図１に示した複合放送システムにより、放送システム２００１により放送されたデータを移動端末２００２で受信・表示し、測位システム２００５により移動端末２００２の位置を測位し、そのデータを情報提供システム２００３に送信すると、情報提供システム２００３は移動端末２００２に関連する情報を送信する。移動端末２００２はその情報を受信するし、表示をする。
【００３３】
次に、本発明の第２の実施形態に係る複合放送システムについて、図２を参照しながら説明する。図２は本発明の第２の実施形態に係る複合放送システムを示す全体構成図である。
【００３４】
図２において、１００４は放送局を示し、１００５はディジタル地上波の電波を送出する電波塔を示す。放送局１００４から流されるデータ放送、又は音声、又は映像、又はこれらを組み合わせたものが、放送データとして電波塔１００５から放送される。１００１は移動端末であり、電波塔より放送された放送データを受信し、表示・再生する。図２で、放送局と電波塔はそれぞれ１つのみ描画されているが、通常は複数の放送局と電波塔が存在する。
【００３５】
１００２はＧＰＳの衛星を示し、移動端末１００１はＧＰＳからの電波を受信して移動端末の位置を測位する。図２で、ＧＰＳの衛星は１つのみ描画されているが、通常は複数のＧＰＳの衛星があり、移動端末１００１はそれらの衛星の電波を受信して測位する。１００６は移動端末と通信をする基地局を示す。基地局はインターネット接続設備１００７を経由してインターネット網１００８に接続されている。また、１００３は移動端末に情報を提供する情報提供システムを示し、情報提供システム１００３はインターネット網１００８に接続されている。図２で、基地局１００６は１つのみ描画されているが、通常は複数の基地局が存在し、移動端末１００１は複数の基地局の内の１つ或いは複数の基地局と通信を行い、データ通信を行うことができる。また、情報提供システム１００３は１つのみ描画されているが、複数の情報提供システムが存在し、移動端末は複数の情報提供システムから情報の提供を受けることも可能である。
【００３６】
図２に示した複合放送システムにより、放送局１００４から放送されたデータ放送を移動端末１００１が受信し、またＧＰＳを使ったシステムにより移動端末の位置を測位する。また、移動端末１００１から情報提供システム１００３にアクセスして、移動端末の位置情報を情報提供システムに送信し、情報提供システムは現在移動端末が受信している放送及び移動端末の位置に関連した情報を提供する。なお、図２では測位の方法としてＧＰＳを用いた方法で描画されているが、ＤＧＰＳを用いた方法でも可能である。
【００３７】
また、双方向通信システムは携帯電話又はＰＨＳ（Ｐｅｒｓｏｎａｌ  Ｈａｎｄｙ−ｐｈｏｎｅ  Ｓｙｓｔｅｍ）のデータ通信サービスを利用することにより移動端末と情報提供システムの間でデータ通信するが可能となる。
【００３８】
次に、本発明の第３の実施形態に係る複合放送システムについて、図３を参照しながら説明する。図３は本発明の第３の実施形態に係る複合放送システムを示す全体構成図である。但し、図２と同じ符号を付したものについては説明を省略する。
【００３９】
図３において、１０１０は放送衛星に放送データを送信するための地上設備であり、１００９は地上設備１０１０から送られてきた放送データを地上にある端末に送信するための放送衛星である。放送局１００４から送信される放送データは地上設備１０１０を経由して放送衛星１００９に送られ、放送衛星は、放送データを地上に送信する。地上の移動端末１００１は放送衛星１００９からの電波を受信し、放送局から送られてきた放送データを表示・再生する。
【００４０】
図３で、放送局、地上設備、放送衛星はそれぞれ１つ描画されているが、それぞれ複数の放送局、地上設備、衛星放送が存在することも可能である。図３で、ＧＰＳの衛星は１つのみ描画されているが、通常は複数のＧＰＳの衛星があり、移動端末はそれらの衛星の電波を受信して測位する。図３で、基地局は１つのみ描画されているが、通常は複数の基地局が存在し、移動端末は複数の基地局の内の１つ或いは複数の基地局と通信を行い、データ通信を行うことができる。また、情報提供システム１００３は１つのみ描画されているが、複数の情報提供システム１００３が存在し、移動端末１００１は複数の情報提供システム１００３から情報の提供を受けることも可能である。
【００４１】
図３に示した複合放送システムにより、放送局１００４から放送されたデータ放送を移動端末１００１が受信し、またＧＰＳを使ったシステムにより移動端末の位置を測位する。また、移動端末１００１から情報提供システム１００３にアクセスして、移動端末の位置情報を情報提供システムの送信し、情報提供システムは現在移動端末が受信している放送及び移動端末の位置に関連した情報を提供する。なお、図３では測位の方法としてＧＰＳを用いた方法で描画されているが、ＤＧＰＳを用いた方法でも可能である。
【００４２】
また、双方向通信システムは携帯電話又はＰＨＳ（Ｐｅｒｓｏｎａｌ  Ｈａｎｄｙ−ｐｈｏｎｅ  Ｓｙｓｔｅｍ）のデータ通信サービスを利用することにより移動端末と情報提供システムの間でデータ通信するが可能となる。
【００４３】
次に、本発明の第４の実施形態に係る複合放送システムについて、図４を参照しながら説明する。図４は本発明の第４の実施形態に係る複合放送システムを示す全体構成図である。但し、図２と同じ符号を付したものについては説明を省略する。
【００４４】
図４では位置を測位する方法として、移動端末１００１と基地局１００６の位置関係により求める方法を採用している。例えば、図１９に示すように、３つの基地局Ａ，Ｂ，Ｃと移動端末Ｄが存在するとして、基地局Ａ，Ｂ，Ｃはそれぞれ正確な位置が把握できており、それぞれの基地局と移動端末の間で無線電波のやり取りが行われる。そして、図２０に示すように、それぞれの基地局から移動局までの電波の到達時間によって到達距離を測定することができるので、それぞれの基地局から移動端末までの距離を測定することによって、移動端末の位置を計算することができる。
【００４５】
図４で、放送局、電波塔はそれぞれ１つのみ描画されているが、通常は複数の放送局、電波塔が存在する。図４で、基地局は２つのみ描画されているが、通常は複数の基地局が存在し、移動端末は複数の基地局の内の１つ或いは複数の基地局と通信を行い、データ通信を行うことができる。また、情報提供システム１００３は１つのみ描画されているが、複数の情報提供システムが存在し、移動端末１００１は複数の情報提供システムから情報の提供を受けることも可能である。
【００４６】
図４に示した複合放送システムにより、放送局１００４から放送されたデータ放送を移動端末１００１が受信し、また基地局１００６との位置関係により移動端末１００１の位置を測位する。また、移動端末１００１から情報提供システム１００３にアクセスして、移動端末の位置情報を情報提供システムに送信し、情報提供システムは現在移動端末が受信している放送及び移動端末の位置に関連した情報を提供する。なお、図４に示した構成図では放送システムとして、ディジタル地上波放送システムを想定しているが、放送衛星を使用した放送システムでも可能である。また、双方向通信システムは携帯電話又はＰＨＳ（Personal Handy-phone System）のデータ通信サービスを利用することにより移動端末と情報提供システムの間でデータ通信するが可能となる。
【００４７】
次に、本発明の第５の実施形態に係る複合放送システムについて、図５を参照しながら説明する。図５は本発明の第５の実施形態に係る複合放送システムを示すブロック図である。但し、従前の図面と同じ符号を付したものについては説明を省略する。
【００４８】
図５において、２００６はデータ蓄積システムを示す。データ蓄積システムには放送システムにより放送されたデータ、又はあらかじめＣＤ、ＤＶＤ、ＭＤ等により配布されているデータが格納されている。移動端末２００２は、データ蓄積システム２００６に蓄積されているデータを参照し取り出すことが可能である。また、場合によってはデータ蓄積システムにデータを蓄積することが可能である。
【００４９】
図５に示した複合放送システムにより、放送システムにより放送されたデータを移動端末２００２で受信・表示し、測位システム２００５により移動端末２００２の位置を測位し、そのデータを元に、それに関連するデータをデータ蓄積システム２００６より取り出し、移動端末２００２はそのデータを表示をする。
【００５０】
次に、本発明の第６の実施形態に係る複合放送システムについて、図６を参照しながら説明する。図６は本発明の第６の実施形態に係る複合放送システムを示す全体構成図である。但し、図２と同じ符号を付したものについては説明を省略する。
【００５１】
図６において、１０１２はデータ蓄積装置を示す。移動端末１００１はデータ蓄積装置１０１２よりデータの参照、取り出しが可能である。また、場合によってはデータ蓄積装置１０１２にデータを蓄積することが可能である。データ蓄積装置１０１２には放送システムより放送されたデータ、又はＣＤ、ＤＶＤ、ＭＤ等により配布されているデータが格納されている。放送システムにより放送されたデータを蓄積する場合は、ｅＰステーション（http://www.epep.jp/）のように自動的にデータ放送又は映像、又は音声、又はそれらが複合したものが蓄積されるような場合と、ユーザが予約により或いは視聴中に録画・録音することにより蓄積される場合がある。
【００５２】
図６に表示したシステムにより、ディジタル地上波により放送されたデータを移動端末で受信・表示し、ＧＰＳ１００２を使った測位システムにより移動端末の位置を測位し、そのデータを元に、それに関連するデータをデータ蓄積装置１０１２より取り出し、移動端末はそのデータを表示をする。
【００５３】
なお、図６に示した構成図では放送システムとして、ディジタル地上波放送システムを想定しているが、放送衛星を使用した放送システムでも可能である。なお、図６では測位の方法としてＧＰＳを用いた方法で描画されているが、ＤＧＰＳを用いた方法でも可能である。また、図６に示した構成図は測位システムとしてＧＰＳを利用したものを想定しているが、移動端末と基地局との位置関係により測位するものでも可能である。
【００５４】
次に、本発明の第１乃至第４の実施形態に示した移動端末の処理手順を図７を参照しながら説明する。図７は本発明の第１乃至第４の実施形態に示した移動端末の処理手順を示すフローチャートである。
【００５５】
図７において、ステップＳ００１においてデータ放送を受信する。ステップＳ００２において測位情報を得る。ステップＳ００３において測位情報を情報提供システムに送信する。ステップＳ００４において情報提供システムより情報を受信する。ステップＳ００５においてディスプレイに表示する。以上のフローチャートにより、放送と連動し、移動端末の位置情報に関連したデータを情報提供システムより受信し、それをディスプレイに表示することができる。
【００５６】
次に、本発明の第５と第６の実施形態に示した移動端末の処理手順を図８を参照しながら説明する。図８は本発明の第５と第６の実施形態に示した移動端末の処理手順を示すフローチャートである。但し、図７と同じ符号を付したステップは説明を省略する。
【００５７】
図８において、ステップＳ００６において、測位データを使って蓄積装置に格納されているデータから必要なデータの検索をする。ステップＳ００７において、蓄積装置より検索されたデータを取り出す。以上のフローチャートにより、放送と連動し、移動端末の位置情報に関連したデータを蓄積装置に蓄積されたデータから取り出し、それをディスプレイに表示することができる。
【００５８】
次に、本発明の実施形態に関する移動端末における画面の表示例を示す。図９には、移動端末において、放送データと、情報提供システム又はデータ蓄積装置より取り出したデータを表示した画面例を示す。この例では放送局からコンビニエンスショップのコマーシャルと、それに連動したデータ放送が放送される。そして移動端末で端末の位置を測位し、そのデータを使って、情報提供システム又はデータ蓄積装置より、その端末の位置の近くにあるコンビニエンスショップの検索を行い、その地図データを端末が取り出す。そして、その地図データを表示したものである。この例ではコマーシャルとして流される映像データが端末のディスプレイの右側に、地図データが左側に表示されている。
【００５９】
図１０には、移動端末において、放送データと、情報提供システム又はデータ蓄積装置より取り出したデータを表示した画面例を示す。図１０の例では基本的プロセスは図９に示したものと同じであるが、図１０では移動端末の現在位置が表示されるようにしたものである。
【００６０】
図１１には、移動端末において、放送データと、情報提供システム又はデータ蓄積装置より取り出したデータを表示した画面例を示す。この例では放送局から天気の映像と、それに連動したデータ放送が放送される。そして、移動端末で端末の位置を測位し、そのデータを使って、情報提供システム又はデータ蓄積装置より、その移動端末の位置の近く（この例では静岡県）の天気予報の検索を行い、その地域の天気予報を移動端末が取り出す。そして、その天気予報を表示したものである。この例では天気の映像として流される映像データが移動端末のディスプレイの右側に、天気予報のデータが左側に表示されている。この例では県単位の天気予報が情報提供システム又はデータ蓄積装置より移動端末に取り出されが、より小さなエリア、例えば、郡単位での天気予報を取り出すことも可能である。
【００６１】
次に、本発明の実施形態に関する放送局から送信されるデータ放送について、図１２を参照しながら説明する。図１２は本発明の実施形態に関する放送局からのデータ放送で送信されるＢＭＬドキュメントの例を示す図である。
【００６２】
データ放送として、図１２に示すようなドキュメントが放送局から放送され、移動端末上で提示される。このドキュメントでは画面に「ＣＬＩＣＫ  ＨＥＡＲＥ」と書かれたボタンが表示され、そのボタンを選択すると、図１２内の３００１で示された枠内の文が実行され、インターネットによる通信が行われる。この例では、まずＥＣＭＡ  Ｓｃｒｉｐｔの拡張関数である、ｘ＿ｓｈａｒｐ＿ｇｅｏｄｅｉｃ（）が実行される。この関数はこの端末の位置を測位し、緯度と経度の配列データをリターン値とする。
【００６３】
次に、情報提供システムへアクセスするためのＵＲＩを生成する。ここで生成されるＵＲＩには、位置を測位した緯度及び経度のデータが含まれる。そして、ＨＴＴＰプロトコルを使って情報提供システムｗｗｗ．ｊｕｎｋ．ｃｏ．ｊｐにアクセスをして、情報提供システムからＢＭＬドキュメントを取得し、端末の画面上に表示することを実行する。
【図面の簡単な説明】
【００６４】
【図１】本発明の第１の実施形態に係る複合放送システムを示すブロック図である。
【図２】本発明の第２の実施形態に係る複合放送システムを示す全体構成図である。
【図３】本発明の第３の実施形態に係る複合放送システムを示す全体構成図である。
【図４】本発明の第４の実施形態に係る複合放送システムを示す全体構成図である。
【図５】本発明の第５の実施形態に係る複合放送システムを示すブロック図である。
【図６】本発明の第６の実施形態に係る複合放送システムを示す全体構成図である。
【図７】本発明の第１乃至第４の実施形態に示した移動端末の処理手順を示すフローチャートである。
【図８】本発明の第５と第６の実施形態に示した移動端末の処理手順を示すフローチャートである。
【図９】本発明の実施形態に関する移動端末における画面の表示例を示す図である。
【図１０】本発明の実施形態に関する移動端末における画面の表示例（移動端末の現在位置を表示する）を示す図である。
【図１１】本発明の実施形態に関する移動端末における画面の表示例（天気予報を表示する）を示す図である。
【図１２】本発明の実施形態に関する放送局からのデータ放送で送信されるＢＭＬドキュメントの例を示す図である。
【図１３】従来技術における放送システムの一例を示すブロック図である。
【図１４】従来技術における放送システムの一例を示す全体構成図である。
【図１５】従来技術におけるデータ放送で送信されるＢＭＬドキュメントの例を示す図である。
【図１６】従来技術における端末の画面例を示す図である。
【図１７】従来技術における放送システムの他例を示すブロック図である。
【図１８】従来技術における放送システムの他例を示す全体構成図である。
【図１９】従来技術において移動端末の位置測位を行うための複数基地局と移動端末の配置関係を示す図である。
【図２０】従来技術において移動端末の位置測位を行うための複数基地局と移動端末の距離関係を示す図である。
【符号の説明】
【００６５】
１００１  移動端末
１００２  ＧＳＰ衛星
１００３  情報提供システム
１００４  放送局
１００５  ディジタル地上波を放送する電波塔
１００６  基地局
１００７  インターネット接続設備
１００８  インターネット網
１００９  放送衛星
１０１０  放送データを衛星に送信する地上設備
１０１１  受信端末
１０１２  データ蓄積装置
２００１  放送システム
２００２  移動端末
２００３  情報提供システム
２００４  双方向通信システム
２００５  測位システム
２００６  データ蓄積システム
【図１】
2005142826.tif 000003
【図２】
2005142826.tif 000004
【図３】
2005142826.tif 000005
【図４】
2005142826.tif 000006
【図５】
2005142826.tif 000007
【図６】
2005142826.tif 000008
【図７】
2005142826.tif 000009
【図８】
2005142826.tif 000010
【図９】
2005142826.tif 000011
【図１０】
2005142826.tif 000012
【図１１】
2005142826.tif 000013
【図１２】
2005142826.tif 000014
【図１３】
2005142826.tif 000015
【図１４】
2005142826.tif 000016
【図１５】
2005142826.tif 000017
【図１６】
2005142826.tif 000018
【図１７】
2005142826.tif 000019
【図１８】
2005142826.tif 000020
【図１９】
2005142826.tif 000021
【図２０】
2005142826.tif 000022